(57)【要約】【課題】  手で容易に操作でき作動性及び操作性が良い複式筆記具を提供する。【解決手段】複数の筆記リフィール（第１の筆記リフィール、第２の筆記リフィール）１０，１０を軸筒１２先端から繰り出す複式筆記具において、軸筒１２内には、各筆記リフィール１０、１０に係合した、各筆記リフィール１０、１０と同数の各ラック１４と、各ラック１４と噛み合うピニオンギア１６が収容され、各ラック１４のうちの１つのラック１４にノック棒１８を備えた複式筆記具である。【選択図】図１
2014008634.tif 000002
【特許請求の範囲】
【請求項１】
複数の筆記リフィールを軸筒先端から繰り出す複式筆記具において、
軸筒内には、各筆記リフィールに係合した、各筆記リフィールと同数の各ラックと、各ラックと噛み合うピニオンギアが収容され、各ラックのうちの１つのラックにノック棒を備えたことを特徴とする複式筆記具。
【請求項２】
ノック棒が軸筒の先後方向に移動し、そのノック棒の移動に伴い筆記リフィールが前後方向に移動することを特徴とする請求項１に記載の複式筆記具。
【請求項３】
ラックは径方向に開く空間が形成され、かつ、前記空間に面してラックギア歯が形成されており、当該空間内に前記ラックギア歯にピニオンギア歯が噛み合うようにピニオンギアが配置されていることを特徴とする請求項１または２に記載の複式筆記具。
【請求項４】
２種類の筆記リフィールを収容したことを特徴とする請求項１から３のうちの１項に記載の複式筆記具。
【発明の詳細な説明】
【技術分野】
【０００１】
本発明は、１本の軸筒に２本以上のボールペンリフィール等の筆記リフィールを備えて選択的に筆記リフィールを繰り出せる複式筆記具に関する。
【背景技術】
【０００２】
従来、多色ボールペン等の複式筆記具の繰り出機構として、実開平０２−０２２８９０号公報（：特許文献１）に示されるように、軸筒側面に突出したシフトノブによって選択したリフィールを繰り出すものがある。
【０００３】
また、実開平０５−０６８６８９号公報（：特許文献２）に示されるように、操作部のクリップを回転させてリフィールを繰り出すものがある。
【０００４】
また、特開昭５８−１４５５００号公報（：特許文献３）や特公昭５５−００３１６０号公報（：特許文献４）で示されるように、先軸を前後に摺動させて、リフィールを繰り出すものがある。
【０００５】
しかながら、従来方式の繰り出機構には、次のような複数の問題点がある。
【０００６】
特許文献１は筆記リフィールの繰り出にはシフトノブを指定の位置に固定する必要があり、片手での操作は難しいことがある。
【０００７】
また、特許文献２は筆記リフィールの繰り出にはクリップを回転させる必要があり、操作がわずらわしく、リフィールの出没がピニオンギアを直接回すことによるものであるため、作動性において非効率的である。
【０００８】
特許文献３及び４は筆記具の先軸を前後に摺動させて筆記リフィールを繰り出しするので片手で摺動することができない。
【０００９】
また、いずれの先行文献でも、ラックの固定方法など明確ではなく、製品として機能する十分な形状をしていない。
【先行技術文献】
【特許文献】
【００１０】
【特許文献１】実開平０２−０２２８９０号公報
【特許文献２】実開平０５−０６８６８９号公報
【特許文献３】特開昭５８−１４５５００号公報
【特許文献４】特公昭５５−００３１６０号公報
【発明の概要】
【発明が解決しようとする課題】
【００１１】
本発明は、斯かる実情に鑑み、片手で容易に操作でき作動性及び操作性が良い複式筆記具を提供しようとするものである。
【課題を解決するための手段】
【００１２】
本発明は、複数の筆記リフィールを軸筒先端から繰り出す複式筆記具において、
軸筒内には、各筆記リフィールに係合した、各筆記リフィールと同数の各ラックと、各ラックと噛み合うピニオンギアが収容され、各ラックのうちの１つのラックにノック棒を備えたことを特徴とする複式筆記具である。
【００１３】
本発明において、ノック棒が軸筒の先後方向に移動し、そのノック棒の移動に伴い筆記リフィールが前後方向に移動することが好適である。
【００１４】
また、本発明において、ラックは径方向に開く空間が形成され、かつ、前記空間に面してラックギア歯が形成されており、当該空間内に前記ラックギア歯にピニオンギア歯が噛み合うようにピニオンギアが配置されていることが好適である。
【００１５】
本発明において、複数のラックは互いに接触していることが好適である。
【００１６】
また、本発明において、筆記リフィール以外の部品が樹脂で形成されたことが好適である。
【００１７】
本発明において、２種類の筆記リフィールを収容（収納）したことが好適である。
【発明の効果】
【００１８】
本発明の複式筆記具によれば、ラックを通常スライド式の多色軸のようにノック棒に組み込みラック側を前後させることで筆記リフィールを出没させるため操作性に違和感がない。
【００１９】
また、ノック棒を見なくても欲しい筆記リフィールを容易に出すことができる。
【００２０】
また、スプリング等の弾発部材を必要としないため、静音効果や衝撃緩和となり、またノック時の衝撃を防げるため筆記リフィールに剪断減粘性インクを採用した場合に、振動によるインクカスレも防ぐことができる。
【００２１】
また、片方のリフィールを繰り出す際にもう片方は後方に下がる構造にできるノックストロークであるため、従来の複式筆記具より短くすることができるので、軸全体の短寸化が可能である。
【００２２】
また、複数のラックは互いに接触していることで、安定した摺動性能を得ることができる。
【００２３】
また、金属部材を必要とせず筆記具全体を樹脂のみで形成可能なため、使用後の廃棄処理が容易である等の優れた効果を奏し得る。
【図面の簡単な説明】
【００２４】
【図１】本発明の実施形態に係る複式筆記具の非繰り出し時の説明図であり、（ａ）が側面視図、（ｂ）が縦断面図、（ｃ）が別方向から見た側面視図、（ｄ）が縦断面図である。
【図２】前記複式筆記具における第１の筆記リフィールの繰り出し状態の説明図であり、（ａ）が側面視図、（ｂ）が縦断面図、（ｃ）が別方向から見た側面視図、（ｄ）が縦断面図である。
【図３】前記複式筆記具における第２の筆記リフィールの繰り出し状態の説明図であり、（ａ）が側面視図、（ｂ）が縦断面図、（ｃ）が別方向から見た側面視図、（ｄ）が縦断面図である。
【図４】前記複式筆記具のピニオンとラックの作動状態の説明図であり、（ａ）が第１の筆記リフィール繰り出し時、（ｂ）が非繰り出し時、（ｃ）が第２の筆記リフィール繰り出し時の説明図である。
【図５】後軸とピニオンのみを示した図であり、（ａ）が先方からの視図、（ｂ）が側面視図、（ｃ）が縦断面図、（ｄ）が別方向から見た側面視図、（ｅ）が縦断面図である。
【図６】スペーサーと後軸との取り付け状態を示した図であり、（ａ）が先方からの視図、（ｂ）が側面視図、（ｃ）が縦断面図、（ｄ）が別方向から見た側面視図、（ｅ）が縦断面図である。
【図７】後軸の部品図であり、（ａ）が先方からの視図、（ｂ）が側面視図、（ｃ）が縦断面図、（ｄ）が別方向から見た側面視図、（ｅ）が縦断面図である。
【図８】ラックの部品図であり、（ａ）が先方からの斜視図、（ｂ）が先方からの視図、（ｃ）平面図、（ｄ）が側面図、（ｅ）が別方向から見た平面図、（ｆ）が後方からの視図である。
【図９】ノック棒付ラックの部品図であり、（ａ）が先方からの斜視図、（ｂ）が先方からの視図、（ｃ）平面図、（ｄ）が側面図、（ｅ）が別方向から見た平面図、（ｆ）が後方からの視図である。
【発明を実施するための形態】
【００２５】
以下、本発明の実施形態について、添付図面を参照して説明する。
【００２６】
図１は、本発明の実施形態に係る複式筆記具の非繰り出し時の説明図、図２は、前記複式筆記具における第１の筆記リフィールの使用状態の説明図、図３は、前記複式筆記具における第２の筆記リフィールの使用状態の説明図、図４は、前記複式筆記具のピニオンギアとラックの作動状態の説明図、図５は、後軸とピニオンギアのみを示した図、図６は、スペーサーと後軸との取り付け状態を示した図、図７は、後軸の部品図、図８は、ラックの部品図、図９は、ノック棒付ラックの部品図である。
【００２７】
図１〜図３に示すように、実施形態は、複数の筆記リフィール（第１の筆記リフィール、第２の筆記リフィール、「筆記体」とも称する）１０、１０を軸筒１２先端から繰り出す複式筆記具において、軸筒１２内には、各筆記リフィール１０、１０に係合した、各筆記リフィール１０、１０と同数の各ラック１４と、各ラック１４と噛み合うピニオンギア１６が収容され、各ラック１４のうちの１つのラック１４にノック棒１８を備えた複式筆記具である。
【００２８】
また、前記ノック棒１８が軸筒１２の先後方向に移動し、そのノック棒１８の移動に伴い筆記リフィール１０、１０が前後方向に移動するものである。
【００２９】
詳しくは、前記軸筒１２は先軸１２ｆと後軸１２ｒとがネジ結合または嵌合で一体化されており、軸筒１２の内部空間には先軸１２ｆから後軸１２ｒにわたって筆記リフィール１０、１０が挿通配置され、ラック１４、１４のピニオンギア１６を介した移動によって、筆記リフィール１０、１０の先端の筆記部１０ａ、１０ａの一方が選択的に軸筒１２先端の開口１２ａから突出する構造になっている。
【００３０】
図４、図８、図９に示すように、ラック１４は径方向に開く空間１４ａが形成された概略矩形枠状で、前記空間１４ａに面してラックギア歯１４ｂが形成されており、当該空間１４ａ内に前記ラックギア歯１４ｂにピニオンギア１６の歯が噛み合うようにピニオンギア１６が配置されている。また、ラック１４には先端に筆記リフィール１０の後端に嵌入させて当該筆記リフィール１０をラック１４に固定する突起部１４ｃが突出形成されている。
【００３１】
一方のラック１４には、図８に示すように、ノック棒１８がない。また、他方のラック１４には、図９に示すように、ノック棒１８が配置固定されている。ノック棒１８は一体でも別体でもいずれでも良い。ノック棒１８には使用者が指をかける操作用突起１８ａとその脇の係止用突起１８ｂが形成されている。
【００３２】
またいずれのラック１４、１４にも対向する角部に溝１４ｄ、１４ｄが形成されている。この溝部１４ｄ、１４ｄは、ノック棒１８の作動空間を確保するものである。
【００３３】
また、図４に示すように、軸筒１２に収納状態で前記複数のラック１４、１４は、溝１４ｄ、１４ｄを同向きに対向させて、相対移動に伴って互いに摺接し合うように組み合わされている。
【００３４】
一方のラック１４には、ラックギア歯１４ｂが下部に上向きで設けられ、他方のラック１４には、ラックギア歯１４ｂが上部に下向きで設けられて、各ラックギア歯１４ｂにピニオンギア１６が噛み合い、このピニオンギア１６が共通で作動するため、図４に示すように、一方のラック１４が先方に移動すると他方のラック１４が後方に移動する。
【００３５】
軸筒１２の後軸１２ｒには、図５に示すように、対の壁部１２ｒ１が先方に向けて対で延びており、その対の壁部１２ｒ１、１２ｒ１の先端に径方向に架け渡されるピニオンロッド２０にピニオンギア１６が回転自在に設けられる。なお、後軸の先端部には、雌ネジが形成されている。
【００３６】
後軸１２ｒ内には、図６に示すように、先方からスペーサー２２が嵌りこんで、前記対の壁部１２ｒ１、１２ｒ１と共にピニオンロッド２０を支えている。スペーサー２２には、先方部が筒状であって、２本の筆記リフィール１０、１０を通す孔２２ａ、２２ａが軸方向に沿って形成され、中央部から後方部にかけて腕状に延びて前記ピニオンロッド２０両端を支える長さを有している。
【００３７】
前記後軸１２ｒは、図７に示すように、前記対の壁部１２ｒ１、１２ｒ１に挟まれる形で窓孔２４が開口しており、窓孔２４には、後軸１２ｒの軸方向に沿う長孔形状であって、途中にノック棒１８の係止用突起１８ｂを掛け止めまたは嵌りこんで位置決めするための切り欠きが３箇所（２６ａ、２６ｂ、２６ｃ）形成されている。窓孔２４の形成箇所の反対側内面はラック１４、１４の移動を祖の側面からガイドする平坦部２８が形成されている。
【００３８】
なお、筆記リフィール１０以外の部品が樹脂で形成されている。
【００３９】
また、ボールペン、シャープペン等の２種類の筆記リフィール１０、１０を収納したものである。
【００４０】
実施形態の複式筆記具の作動を説明する。
【００４１】
この複式筆記具では、ノック棒１８を、窓孔２４を通して先後に移動させることによって２本の筆記リフィール（第１の筆記リフィール、第２の筆記リフィール）１０、１０のいずれかを選択して軸筒１２先端から突出させて筆記可能状態としたり、双方とも軸筒１２内に没入した状態にして筆記不能状態としたりする複式筆記具である。
【００４２】
双方の筆記リフィール１０を軸筒１２に没入させるときは、図１に示すように、ノック棒１８を窓孔２４の中央に動かして、ノック棒１８の係止用突起１８ｂを切り欠き２６ｂに嵌め込む。この場合、双方のラック１４、１４（１４１、１４２）がピニオンギア１６の作動によって図４（ｂ）に示した中立位置になり、いずれの筆記リフィール１０、１０も軸筒１２内に入り込んでいる。
【００４３】
一方の筆記リフィール（第１の筆記リフィール）１０を軸筒１２先端から突出させるときは、図２に示すように、ノック棒１８を先方に動かして、ノック棒１８の係止用突起１８ｂを切り欠き２６ａに嵌め込む。この場合、図４（ｃ）に示すように、ピニオンギア１６によってラック１４、１４のうちのノック棒１８を設けた一方のラック（１４１）が先方位置になり、第１の筆記リフィール１０の筆記部１０ａが軸筒１２から突出し、それと共に、ノック棒１８を設けていない他方のラック（１４２）が後方位置になり、第２の筆記リフィール１０の筆記部１０ａが軸筒１２内に収容される。
【００４４】
さらに、他方の筆記リフィール（第２の筆記リフィール）１０を突出させるときは、図３に示すように、ノック棒１８を後方に動かして、ノック棒１８の係止用突起１８ｂを切り欠き２６ｃに嵌め込む。この場合、ラック１４、１４のうちのピニオンギア１６によって図４（ａ）に示したノック棒１８を設けた一方のラック（１４１）が後方位置になり、第１の筆記リフィール１０の筆記部１０ａが軸筒１２内に収容され、それと共に、ノック棒１８を設けていない他方のラック（１４２）が先方位置になり、第２の筆記リフィール１０の筆記部１０ａが軸筒１２から突出する。
【００４５】
実施形態の複式筆記具によれば、ラック１４、１４を通常スライド式の多色軸のようにノック棒１８を組み込んだラック１４、１４を前後させることで筆記リフィール１０、１０を出没させるため操作性に違和感がない。
【００４６】
また、ノック棒１８の指先の操作で先方後方に移動させるだけで良いため、ノック棒１８を見なくても欲しい筆記リフィール１０を容易に繰り出す出すことができる。
【００４７】
また、筆記具にスプリング等の弾発部材を必要としないため、静音効果や衝撃緩和となり、またノック時の衝撃を防げるため筆記リフィールに剪断減粘性インクを採用した場合に、振動によるインクカスレも防ぐことができる。
【００４８】
また、片方の筆記リフィール１０を繰り出す際にもう片方の筆記リフィール１０は後方に下がる構造にできるノックストロークであるため、従来の複式筆記具よりストローク長さを短くすることができるので、軸全体の短寸化が可能である。
【００４９】
また、複数のラック１４、１４は互いに接触していることで、安定した摺動性能を得ることができる。
【００５０】
また、金属部材を必要とせず筆記具全体を樹脂のみで形成可能なため、使用後の廃棄処理が容易である等の優れた効果を奏し得る。
【産業上の利用可能性】
【００５１】
本発明の複式筆記具は、ボールペン、シャープペンシルなどの各種の筆記リフィールを複数設けた複式筆記具として利用することができる。
【符号の説明】
【００５２】
１０  筆記リフィール（第１、第２の筆記リフィール）
１０ａ  筆記部
１２  軸筒
１２ａ  軸筒先端の開口
１２ｆ  軸筒の先軸
１２ｒ  軸筒の後軸
１２ｒ１  後軸内の壁部
１４  ラック
１４１、１４２  第１、第２の筆記リフィール用のラック
１４ａ  ラックの空間
１４ｂ  ラックのギア歯
１４ｃ  ラックの突起部
１４ｄ  ラックの溝
１６  ピニオンギア
１８  ノック棒
１８ａ  ノック棒の操作用突起
１８ｂ  ノック棒の係止用突起
２０  ピニオンロッド
２２  スペーサー
２４  後軸の窓孔
２６ａ、２６ｂ、２６ｃ  ノック棒の係止用突起が係止する各切り欠き
２８  後軸内の平坦部
【図１】
2014008634.tif 000003
【図２】
2014008634.tif 000004
【図３】
2014008634.tif 000005
【図４】
2014008634.tif 000006
【図５】
2014008634.tif 000007
【図６】
2014008634.tif 000008
【図７】
2014008634.tif 000009
【図８】
2014008634.tif 000010
【図９】
2014008634.tif 000011